(57)【要約】【課題】３Ｄデータ管理システムと電子図庫システム間で図面データの連携を実現することのできるシステム間連携装置を得る。【解決手段】図面連携システム３００は、３Ｄデータ管理システム１００から３Ｄ図面データの格納情報が出力された場合、電子図庫システム２００に対して３Ｄ図面データを所定の図面データに変換して変換後の図面データの格納依頼を行う。また、３Ｄデータ管理システム１００から３Ｄ図面データの改訂情報が出力された場合、電子図庫システム２００に対して３Ｄ図面データに相当する所定の図面データの改訂依頼を行う。更に、電子図庫システム２００から所定の図面データの改訂情報が出力された場合、改訂情報に基づいて３Ｄデータ管理システム１００に対して３Ｄ図面データの改訂依頼を行う。【選択図】図１
2011248451.tif 000002
【特許請求の範囲】
【請求項１】
３Ｄ図面データを管理する３Ｄデータ管理システムと、前記３Ｄ図面データとは異なる所定の図面データを管理する電子図庫システムと、前記３Ｄ図面データと前記所定の図面データとの連携を行う図面連携システムとを備えたシステム間連携装置であって、
前記図面連携システムは、
前記３Ｄデータ管理システムから前記３Ｄ図面データの格納情報が出力された場合、前記電子図庫システムに対して前記３Ｄ図面データを前記所定の図面データに変換して当該変換後の図面データの格納依頼を行うと共に、前記３Ｄデータ管理システムから前記３Ｄ図面データの改訂情報が出力された場合、前記電子図庫システムに対して前記３Ｄ図面データに相当する前記所定の図面データの改訂依頼を行い、かつ、前記電子図庫システムから前記所定の図面データの改訂情報が出力された場合、当該改訂情報に基づいて前記３Ｄデータ管理システムに対して前記３Ｄ図面データの改訂依頼を行うことを特徴とするシステム間連携装置。
【請求項２】
図面連携システムは、
３Ｄデータ管理システムから３Ｄ図面データの格納情報が出力されたか否かを検知するイベント監視装置と、
前記イベント監視装置で前記格納情報の出力が検知された場合、前記３Ｄ図面データを、予め設定された変換形式で変換すると共に、変換前後の図面名を紐付けて図面連携システムデータベースに登録する図面データ変換装置と、
前記図面データ変換装置で変換された図面データを電子図庫システムに格納する電子図庫システム格納依頼ファイル作成装置とを備え、
前記電子図庫システムは、前記格納された図面データを予め設けられた領域に格納することを特徴とする請求項１記載のシステム間連携装置。
【請求項３】
図面連携システムは、
３Ｄデータ管理システムから３Ｄ図面データの改訂情報が出力されたことを検知した場合、図面連携システムデータベースを参照して、当該３Ｄ図面データの図面名が登録されているか否かを判定するイベント監視装置と、
前記図面名が前記図面連携システムデータベースに登録されていた場合は、電子図庫システムに対して、前記３Ｄ図面データに相当する所定の図面データの改訂依頼を行う電子図庫システム改訂依頼ファイル作成装置とを備え、
前記電子図庫システムは、前記改訂依頼に基づいて該当する所定の図面データを改訂することを特徴とする請求項２記載のシステム間連携装置。
【請求項４】
図面連携システムは、
電子図庫システムから所定の図面データの改訂情報が出力されたことを検知した場合、図面連携システムデータベースを参照して、当該図面データの図面名が登録されているか否かを判定するイベント監視装置と、
前記図面名が前記図面連携システムデータベースに登録されていた場合は、前記３Ｄデータ管理システムに対して、前記図面データに相当する３Ｄ図面データの改訂依頼を行う３Ｄデータ管理システム改訂依頼ファイル作成装置とを備え、
前記３Ｄデータ管理システムは、前記改訂依頼に基づいて該当する３Ｄ図面データを改訂することを特徴とする請求項２または請求項３記載のシステム間連携装置。
【発明の詳細な説明】
【技術分野】
【０００１】
本発明は、３Ｄ図面データを管理する３Ｄデータ管理システムと、出図図面（正式図面）を管理する電子図庫システム間で、図面データのやり取りを連携・自動化するシステム間連携装置に関するものである。
【背景技術】
【０００２】
従来、製品設計では２Ｄ図面が主流で、２Ｄ中心の基幹システムが構築されていた。例えば、出図図面（正式図面）を管理する電子図庫システムである。一方、近年では、３ＤＣＡＤの普及により、構造検討では３Ｄを利用する設計現場が増えてきた。しかしながら、従来の図面文化は根強く、設計中の３Ｄデータを管理するシステムと出図図面（正式図面）を管理する電子図庫システムとが共存しているケースが多い。
【０００３】
また、従来、例えば、特許文献１に記載されているように、３Ｄデータ管理システムと２Ｄデータ管理システムとを連携させるようにしたものがあった。
【先行技術文献】
【特許文献】
【０００４】
【特許文献１】特開平５−２０５０１２号公報
【発明の概要】
【発明が解決しようとする課題】
【０００５】
しかしながら、従来の３Ｄ管理システムと電子図庫システムとが共存しているような場合、お互いのシステムは独立しているため、出図時（正式図面作成時）に３Ｄ管理システムから図面を取り出し、電子図庫システムに格納するという手間がかかると共に、人的ミスの発生も避けられなかった。また、改訂時は両方のシステムから改訂操作が可能である等、運用で回避しなければならない問題もあった。
また、特許文献１に記載されたような３Ｄデータ管理システムと２Ｄデータ管理システムとを連携させるものであっても、その連携についての具体的な実現手段は示されておらず、実際の運用を考えた場合にシステム間の連携は困難であった。
【０００６】
この発明は上記のような課題を解決するためになされたもので、３Ｄデータ管理システムと電子図庫システム間で図面データの連携を実現することのできるシステム間連携装置を得ることを目的とする。
【課題を解決するための手段】
【０００７】
この発明に係るシステム間連携装置は、３Ｄ図面データを管理する３Ｄデータ管理システムと、３Ｄ図面データとは異なる所定の図面データを管理する電子図庫システムと、３Ｄ図面データと所定の図面データとの連携を行う図面連携システムとを備えたシステム間連携装置であって、図面連携システムは、３Ｄデータ管理システムから３Ｄ図面データの格納情報が出力された場合、電子図庫システムに対して３Ｄ図面データを所定の図面データに変換して変換後の図面データの格納依頼を行うと共に、３Ｄデータ管理システムから３Ｄ図面データの改訂情報が出力された場合、電子図庫システムに対して３Ｄ図面データに相当する所定の図面データの改訂依頼を行い、かつ、電子図庫システムから所定の図面データの改訂情報が出力された場合、改訂情報に基づいて３Ｄデータ管理システムに対して３Ｄ図面データの改訂依頼を行うようにしたものである。
【発明の効果】
【０００８】
この発明のシステム間連携装置は、図面連携システムによって、３Ｄデータ管理システムにおける３Ｄ図面データの格納情報と改訂情報及び電子図庫システムにおける所定の図面データの改訂情報とに基づいて、所定の図面データの格納や改訂及び３Ｄ図面データの改訂を管理するようにしたので、３Ｄデータ管理システムと電子図庫システム間で図面データの連携を実現することができる。
【図面の簡単な説明】
【０００９】
【図１】この発明の実施の形態１によるシステム間連携装置を示す構成図である。
【図２】この発明の実施の形態１のシステム間連携装置における３Ｄデータ管理システムから格納情報出力ファイルが出力された場合の動作を示すフローチャートである。
【図３】この発明の実施の形態１のシステム間連携装置における３Ｄデータ管理システムから改訂情報出力ファイルが出力された場合の動作を示すフローチャートである。
【図４】この発明の実施の形態１のシステム間連携装置における電子図庫システムから改訂情報出力ファイルが出力された場合の動作を示すフローチャートである。
【発明を実施するための形態】
【００１０】
実施の形態１．
図１は、この発明の実施の形態１によるシステム間連携装置を示す構成図である。
図示のシステム間連携装置は、３Ｄデータ管理システム１００と電子図庫システム２００と、図面連携システム３００と、ネットワーク４００とを備えている。
３Ｄデータ管理システム１００は、３Ｄ図面データ処理部１１０で処理される３Ｄ図面データを管理するシステムであり、コンピュータによって実現され、格納情報出力領域１０１、改訂情報出力領域１０２、改訂依頼領域１０３、図面データ改訂装置１０４を備えている。格納情報出力領域１０１は格納情報出力ファイルを格納する領域、改訂情報出力領域１０２は改訂情報出力ファイルを格納する領域、改訂依頼領域１０３は改訂依頼ファイルを格納する領域であり、これら領域は、一つの記憶装置上に形成されているが、それぞれが独立した記憶装置上に設けられていてもよい。また、図面データ改訂装置１０４は、３Ｄデータ管理システム１００側における図面改訂を行う装置であり、専用のハードウェア、あるいは、その機能に対応したソフトウェアと、これを実行するためのＣＰＵやメモリといったハードウェアとで構成されている。また、改訂依頼領域１０３と図面データ改訂装置１０４とで、３Ｄデータ管理システム１００と電子図庫システム２００間の図面データを連携させるための図面連携システムエージェント１０５が形成されている。尚、３Ｄ図面データ処理部１１０は、３Ｄ図面データの生成や改訂といった処理を行う機能部であり、３Ｄデータ管理システム１００と共に１台のコンピュータで実現されているが、独立したコンピュータによって実現されてもよい。
【００１１】
電子図庫システム２００は、図面データ処理部２１０で処理される正式図面を管理するシステムであり、コンピュータによって実現され、改訂情報出力領域２０１、改訂依頼領域２０２、格納依頼領域２０３、図面データ改訂装置２０４、図面データ格納装置２０５を備えている。改訂情報出力領域２０１は改訂情報出力ファイルを格納する領域、改訂依頼領域２０２は改訂依頼ファイルを格納する領域、格納依頼領域２０３は格納依頼ファイルを格納する領域であり、これら領域は、一つの記憶装置上に形成されているが、それぞれが独立した記憶装置上に設けられていてもよい。また、図面データ改訂装置２０４は、改訂依頼ファイルに基づいて図面データの改訂を行う装置、図面データ格納装置２０５は、格納依頼ファイルに基づいて、図面データを、出図図面を登録するための図面データ登録領域（図示省略）に格納する装置であり、それぞれが専用のハードウェア、あるいは、その機能に対応したソフトウェアと、これを実行するためのＣＰＵやメモリといったハードウェアで構成されている。また、改訂依頼領域２０２〜図面データ格納装置２０５によって、図面連携システムエージェント２０６が形成されている。尚、図面データ処理部２１０は、図面データの生成や改訂といった処理を行う機能部であり、電子図庫システム２００と共に１台のコンピュータで実現されるか、あるいは独立したコンピュータによって実現されてもよい。
【００１２】
図面連携システム３００は、３Ｄデータ管理システム１００と電子図庫システム２００間で発生した図面データの格納や改訂といったイベントを管理するシステムであり、コンピュータによって実現され、イベント監視装置３０１、図面データ変換装置３０２、設定ファイル３０３、３Ｄデータ管理システム改訂依頼ファイル作成装置３０４、電子図庫システム格納依頼ファイル作成装置３０５、電子図庫システム改訂依頼ファイル作成装置３０６、図面連携システムデータベース（ＤＢ）３０７を備えている。イベント監視装置３０１は、３Ｄデータ管理システム１００と電子図庫システム２００との間で発生する格納、改訂のイベントを監視する装置である。図面データ変換装置３０２は、予め設定された図面の変換形式を示す設定ファイル３０３に従って図面データを変換する装置である。３Ｄデータ管理システム改訂依頼ファイル作成装置３０４は、３Ｄデータ管理システム１００に対する改訂依頼ファイルを作成する装置である。電子図庫システム格納依頼ファイル作成装置３０５は、図面データ変換装置３０２によって変換された図面データに基づいて、電子図庫システム２００に対する格納依頼ファイルを作成する装置である。電子図庫システム改訂依頼ファイル作成装置３０６は、電子図庫システム２００に対する改訂依頼ファイルを作成する装置である。また、図面連携システムデータベース３０７は、３Ｄデータ管理システム１００における３Ｄ図面データと電子図庫システム２００における図面データとの対応関係を示す連携情報を格納するためのデータベースである。尚、イベント監視装置３０１、図面データ変換装置３０２、３Ｄデータ管理システム改訂依頼ファイル作成装置３０４〜電子図庫システム改訂依頼ファイル作成装置３０６は、それぞれが専用のハードウェア、あるいは、その機能に対応したソフトウェアと、これを実行するためのＣＰＵやメモリといったハードウェアで構成されている。
【００１３】
ネットワーク４００は、３Ｄデータ管理システム１００と電子図庫システム２００と図面連携システム３００とを相互に通信接続するための、例えばＬＡＮ（ローカル・エリア・ネットワーク）といったネットワークである。
【００１４】
次に、実施の形態１のシステム間連携装置の動作について説明する。
３Ｄデータ管理システム１００側で、３Ｄ図面データ処理部１１０による図面の承認処理が完了すると、該当する図面データと、格納情報出力ファイルを格納情報出力領域１０１に出力する。格納情報出力ファイルのファイル名は数字連番で、その中身は、格納情報出力ファイルを意味する「KAKUNOU」の記述と、半角スペースを挟み「図面名」が一列で記述されているものである。
【００１５】
また、３Ｄデータ管理システム１００側で、３Ｄ図面データ処理部１１０による図面の改訂処理が完了すると、改訂情報出力ファイルを改訂情報出力領域１０２に出力する。改訂情報出力ファイルのファイル名は数字連番で、その中身は改訂情報出力ファイルを意味する「KAITEI」の記述と、半角スペースを挟み「図面名」が一列に記述されているものである。
【００１６】
一方、電子図庫システム２００側で、図面データ処理部２１０による図面の改訂処理が完了すると、改訂情報出力ファイルを改訂情報出力領域２０１に出力する。改訂情報出力ファイルのファイル名は数字連番で、その中身は改訂情報出力ファイルを意味する「KAITEI」の記述と、半角スペースを挟み「図面名」が一列に記述されているものである。
【００１７】
図２は、３Ｄデータ管理システム１００の格納情報出力領域１０１に格納情報出力ファイルが格納された場合の動作を示すフローチャートであり、以下、このフローチャートに沿って動作を説明する。
図面連携システム３００のイベント監視装置３０１が３Ｄデータ管理システム１００側の格納情報出力領域１０１に格納情報出力ファイルを検知すると（ステップＳＴ１）、そのファイル内の図面名を読み取り（ステップＳＴ２）、同じ領域内にその図面名のデータを探し、取得した図面データを図面データ変換装置３０２に渡す（ステップＳＴ３）。格納情報出力領域１０１内の格納情報出力ファイルの有無を監視する方法は、例えば、イベント監視装置３０１が１分おきに３Ｄデータ管理システム１００の格納情報出力領域１０１内のファイルの有無を確認する、といったものである。ファイルを複数検知した場合は、名前順で一つずつ実行する。読み取り後は格納情報出力領域１０１内の読み取ったファイルは削除する（ステップＳＴ４）。
【００１８】
図面データ変換装置３０２は、設定ファイル３０３で設定されている変換形式（ＴＩＦＦ等）で図面データを変換する（ステップＳＴ５）。変換後、図面データ変換装置３０２は、図面連携システムデータベース３０７にオリジナルの図面名と変換後の図面名（拡張子付き）を登録する（ステップＳＴ６）。同時に、電子図庫システム格納依頼ファイル作成装置３０５により、電子図庫格納依頼ファイルを作成する（ステップＳＴ７）。電子図庫依頼ファイルには、電子図庫システム２００に格納するための必要な情報を必要な形式で記述する。記述後、電子図庫システム２００側の図面連携システムエージェント２０６における格納依頼領域２０３に電子図庫格納依頼ファイルと変換後の図面データを格納する（ステップＳＴ８）。
【００１９】
電子図庫システム２００側では、図面データ格納装置２０５が、格納依頼領域２０３に格納依頼ファイルを検知すると、そのファイル内情報を読み取り、変換後の図面データを、出図図面を登録するための図面データ登録領域（図示省略）に登録する。
【００２０】
次に、３Ｄデータ管理システム１００で改訂情報出力ファイルが格納された場合の動作について説明する。
図３は、そのフローチャートである。
図面連携システム３００のイベント監視装置３０１が、３Ｄデータ管理システム１００側の改訂情報出力領域１０２に改訂情報出力ファイルを検知すると（ステップＳＴ１１）、そのファイル内の図面名を読み取り（ステップＳＴ１２）、図面連携システムデータベース３０７に問い合わせる（ステップＳＴ１３）。改訂情報出力ファイルを監視する方法は、例えば、イベント監視装置３０１が１分おきに３Ｄデータ管理システム１００側の改訂情報出力領域１０２内のファイルを確認する、といったものである。ファイルを複数検知した場合は名前順で一つずつ実行する。ステップＳＴ１３の問い合わせの結果、図面連携システムデータベース３０７にその図面名が存在した場合は、改訂情報出力ファイルを読み取り（ステップＳＴ１４）、その図面名が存在しなかった場合は、エラー終了する。読み取り後、そのファイルは削除する（ステップＳＴ１５）。図面連携システム３００側では、同時に電子図庫システム改訂依頼ファイル作成装置３０６により、電子図庫改訂依頼ファイルを作成する（ステップＳＴ１６）。電子図庫改訂依頼ファイルには、電子図庫システム２００で該当データを改訂するために必要な情報を必要な形式で記述する。記述後、電子図庫システム２００側の図面連携システムエージェント２０６の改訂依頼領域２０２に電子図庫改訂依頼ファイルを格納する（ステップＳＴ１７）。
【００２１】
電子図庫システム２００では、図面データ改訂装置２０４が改訂依頼領域２０２に格納された電子図庫改訂依頼ファイルを検知すると、図面データ改訂装置２０４は、そのファイル内情報を読み取り、該当する図面データを改訂する。尚、対象となる図面データは上述した図示しない図面データ登録領域に格納されているものとする。
【００２２】
次に、電子図庫システム２００で改訂情報出力ファイルが格納された場合の動作について説明する。
図４は、そのフローチャートである。
図面連携システム３００のイベント監視装置３０１が、電子図庫システム２００側の改訂情報出力領域２０１に改訂情報出力ファイルを検知すると（ステップＳＴ２１）、そのファイル内の図面名を読み取り（ステップＳＴ２２）、図面連携システムデータベース３０７に問い合わせる（ステップＳＴ２３）。監視する方法は、例えば、イベント監視装置３０１が１分おきに電子図庫システム２００側の改訂情報出力領域２０１内のファイルを確認する、といったものである。ファイルを複数検知した場合は名前順で一つずつ実行する。ステップＳＴ２３の問い合わせの結果、図面連携システムデータベース３０７にその図面名が存在した場合は、改訂情報出力ファイルを読み取り（ステップＳＴ２４）、その図面名が存在しなかった場合は、エラー終了する。読み取り後、そのファイルは削除する（ステップＳＴ２５）。図面連携システム３００側では、同時に３Ｄデータ管理システム改訂依頼ファイル作成装置３０４により、３Ｄデータ管理システム改訂依頼ファイルを作成する（ステップＳＴ２６）。３Ｄデータ管理システム改訂依頼ファイルには、３Ｄデータ管理システム１００で該当データを改訂するために必要な情報を必要な形式で記述する。記述後、３Ｄデータ管理システム１００側の図面連携システムエージェント１０５の改訂依頼領域１０３に３Ｄデータ管理システム改訂依頼ファイルを格納する（ステップＳＴ２７）。
【００２３】
３Ｄデータ管理システム１００では、図面データ改訂装置１０４が改訂依頼領域１０３に格納された３Ｄデータ管理システム改訂依頼ファイルを検知すると、図面データ改訂装置１０４は、そのファイル内情報を読み取り、該当する図面データを改訂する。尚、対象となる図面データは、３Ｄ図面データを登録するための図示しない３Ｄ図面データ登録領域に格納されているものとする。
【００２４】
尚、上記例では、電子図庫システム２００は出図図面（正式図面）を管理するものとしたが、３Ｄデータ管理システム１００側で管理する３Ｄ図面データとは異なる図面データであればどのような図面データを管理するものであっても同様に適用可能である。
【００２５】
以上のように、実施の形態１のシステム間連携装置によれば、３Ｄ図面データを管理する３Ｄデータ管理システムと、３Ｄ図面データとは異なる所定の図面データを管理する電子図庫システムと、３Ｄ図面データと所定の図面データとの連携を行う図面連携システムとを備えたシステム間連携装置であって、図面連携システムは、３Ｄデータ管理システムから３Ｄ図面データの格納情報が出力された場合、電子図庫システムに対して３Ｄ図面データを所定の図面データに変換して変換後の図面データの格納依頼を行うと共に、３Ｄデータ管理システムから３Ｄ図面データの改訂情報が出力された場合、電子図庫システムに対して３Ｄ図面データに相当する所定の図面データの改訂依頼を行い、かつ、電子図庫システムから所定の図面データの改訂情報が出力された場合、改訂情報に基づいて３Ｄデータ管理システムに対して３Ｄ図面データの改訂依頼を行うようにしたので、３Ｄデータ管理システムと電子図庫システム間で図面データの連携を実現することができる。
【００２６】
また、実施の形態１のシステム間連携装置によれば、図面連携システムは、３Ｄデータ管理システムから３Ｄ図面データの格納情報が出力されたか否かを検知するイベント監視装置と、イベント監視装置で格納情報の出力が検知された場合、３Ｄ図面データを、予め設定された変換形式で変換すると共に、変換前後の図面名を紐付けて図面連携システムデータベースに登録する図面データ変換装置と、図面データ変換装置で変換された図面データを電子図庫システムに格納する電子図庫システム格納依頼ファイル作成装置とを備え、電子図庫システムは、格納された図面データを予め設けられた領域に格納するようにしたので、３Ｄ図面データの格納時、電子図庫システムに対しても確実に図面データを格納させることができ、３Ｄ図面データ格納時の図面データの連携を実現することができる。
【００２７】
また、実施の形態１のシステム間連携装置によれば、図面連携システムは、３Ｄデータ管理システムから３Ｄ図面データの改訂情報が出力されたことを検知した場合、図面連携システムデータベースを参照して、３Ｄ図面データの図面名が登録されているか否かを判定するイベント監視装置と、図面名が図面連携システムデータベースに登録されていた場合は、電子図庫システムに対して、３Ｄ図面データに相当する所定の図面データの改訂依頼を行う電子図庫システム改訂依頼ファイル作成装置とを備え、電子図庫システムは、改訂依頼に基づいて該当する所定の図面データを改訂するようにしたので、３Ｄ図面データの改訂時、電子図庫システムの図面データについても確実に図面データの改訂を行うことができ、３Ｄ図面データ改訂時の図面データの連携を実現することができる。
【００２８】
また、実施の形態１のシステム間連携装置によれば、図面連携システムは、電子図庫システムから所定の図面データの改訂情報が出力されたことを検知した場合、図面連携システムデータベースを参照して、図面データの図面名が登録されているか否かを判定するイベント監視装置と、図面名が図面連携システムデータベースに登録されていた場合は、３Ｄデータ管理システムに対して、図面データに相当する３Ｄ図面データの改訂依頼を行う３Ｄデータ管理システム改訂依頼ファイル作成装置とを備え、３Ｄデータ管理システムは、改訂依頼に基づいて該当する３Ｄ図面データを改訂するようにしたので、電子図庫システム側での図面データの改訂時、３Ｄデータ管理システムの３Ｄ図面データについても確実に図面データの改訂を行うことができ、電子図庫システム側の図面データ改訂時における図面データの連携を実現することができる。
【符号の説明】
【００２９】
１００  ３Ｄデータ管理システム、１０１  格納情報出力領域、１０２  改訂情報出力領域、１０３  改訂依頼領域、１０４  図面データ改訂装置、１０５  図面連携システムエージェント、１１０  ３Ｄ図面データ処理部、２００  電子図庫システム、２０１  改訂情報出力領域、２０２  改訂依頼領域、２０３  格納依頼領域、２０４  図面データ改訂装置、２０５  図面データ格納装置、２０６  図面連携システムエージェント、２１０  図面データ処理部、３００  図面連携システム、３０１  イベント監視装置、３０２  図面データ変換装置、３０３  設定ファイル、３０４  ３Ｄデータ管理システム改訂依頼ファイル作成装置、３０５  電子図庫システム格納依頼ファイル作成装置、３０６  電子図庫システム改訂依頼ファイル作成装置、３０７  図面連携システムデータベース。
【図１】
2011248451.tif 000003
【図２】
2011248451.tif 000004
【図３】
2011248451.tif 000005
【図４】
2011248451.tif 000006